(57)【要約】【課題】コンテンツを記録メディアに容易に記録可能とする。【解決手段】別のコンテンツ記録装置とネットワークを介して接続されたコンテンツ記録装置２０Ａは、外部より取り込んだコンテンツを記録するコンテンツ記録部２３と、記録メディアが挿脱可能に構成されており、挿入された記録メディアにコンテンツを書き込み可能なメディア書込部２４と、記録メディアに書き込む予定の複数のコンテンツを特定するコンテンツ特定情報を保有し、別のコンテンツ記録装置またはコンテンツ記録部にコンテンツ特定情報により特定されるコンテンツが記録されている場合に、当該コンテンツをメディア書込部に挿入された記録メディアに書き込むように制御する制御部２１と、を備える。【選択図】図１
2008140449.tif 000002
【特許請求の範囲】
【請求項１】
別のコンテンツ記録装置とネットワークを介して接続されたコンテンツ記録装置であって、
外部より取り込んだコンテンツを記録するコンテンツ記録部と、
記録メディアが挿脱可能に構成されており、挿入された記録メディアにコンテンツを書き込み可能なメディア書込部と、
記録メディアに書き込む予定の複数のコンテンツを特定するコンテンツ特定情報を保有し、前記別のコンテンツ記録装置または前記コンテンツ記録部に前記コンテンツ特定情報により特定されるコンテンツが記録されている場合に、当該コンテンツを前記メディア書込部に挿入された記録メディアに書き込むように制御する制御部と、
を備えることを特徴とするコンテンツ記録装置。
【請求項２】
放送波を受信して、受信された放送波に含まれるコンテンツを取り込むチューナーを、さらに備え、
前記制御部は、コンテンツ特定情報により特定されるコンテンツをチューナーを介して取り込んで、当該取り込まれたコンテンツを前記コンテンツ記録部に記録するように制御することを特徴とする請求項１に記載のコンテンツ記録装置。
【請求項３】
前記制御部は、前記コンテンツ特定情報が更新された場合に、前記別のコンテンツ記録装置にコンテンツ特定情報の更新要求を送信することを特徴とする請求項１に記載のコンテンツ記録装置。
【請求項４】
前記制御部は、前記別のコンテンツ記録装置からコンテンツ特定情報の更新要求を受信した場合に、前記コンテンツ特定情報を更新することを特徴とする請求項１に記載のコンテンツ記録装置。
【請求項５】
前記制御部は、前記メディア書込部に記録メディアが挿入された時に、前記コンテンツ特定情報により特定されるコンテンツを、前記メディア書込部に挿入された前記記録メディアに書き込むように制御することを特徴とする請求項１に記載のコンテンツ記録装置。
【請求項６】
前記制御部は、前記記録メディアの種別ごとに前記コンテンツ特定情報を保有し、前記メディア書込部に挿入された記録メディアに、当該記録メディアの種別に対応するコンテンツ特定情報により特定されるコンテンツを書き込むように制御することを特徴とする請求項１に記載のコンテンツ記録装置。
【請求項７】
前記制御部は、前記記録メディアの個体ごとに前記コンテンツ特定情報を保有し、前記メディア書込部に挿入された記録メディアに、当該記録メディアの個体に対応するコンテンツ特定情報により特定されるコンテンツを書き込むように制御することを特徴とする請求項１に記載のコンテンツ記録装置。
【請求項８】
前記制御部は、前記メディア書込部に挿入された記録メディアの空き容量を確認してから、前記コンテンツを前記メディア書込部に挿入された記録メディアに書き込むように制御することを特徴とする請求項１に記載のコンテンツ記録装置。
【請求項９】
前記制御部は、前記コンテンツ特定情報により特定されるコンテンツが前記記録メディアに書き込まれた場合に、当該コンテンツ特定情報を消去することを特徴とする請求項１に記載のコンテンツ記録装置。
【請求項１０】
ネットワークを介して互いに接続された複数のコンテンツ記録装置に記録されたコンテンツを記録メディアに記録するためのコンテンツ記録方法であって、
記録メディアに書き込む予定の複数のコンテンツを特定するコンテンツ特定情報を生成する生成ステップと、
前記複数のコンテンツ記録装置のいずれかに前記コンテンツ特定情報により特定されるコンテンツが記録されている場合に、当該コンテンツを記録メディアに書き込む書込ステップと、
を含むコンテンツ記録方法。
【発明の詳細な説明】
【技術分野】
【０００１】
本発明は、コンテンツを記録メディアに記録するコンテンツ記録装置およびコンテンツ記録方法に関する。
【背景技術】
【０００２】
従来文献（特許文献１）では、映像配信装置および映像視聴端末装置がネットワークを介して互いに接続されており、映像配信装置から配信された映像コンテンツを映像視聴端末装置にて視聴可能となっている。
【特許文献１】特開２００４−１７３１０２号公報
【発明の開示】
【発明が解決しようとする課題】
【０００３】
複数のコンテンツ記録装置がネットワークを介して接続されたホームネットワークでは、コンテンツ記録装置の各々に分散して記録された複数のコンテンツを１枚の記録メディアに記録したい場合には、現状では次の説明する処理を行う必要がある。先ず、記録したいコンテンツが記録されているコンテンツ記録装置の一つに記録メディアを挿入して、そのコンテンツを記録メディアに記録する。その後、別のコンテンツ記録装置に記録メディアを入れ替えて、記録メディアにコンテンツを記録する処理を繰り返す。このような処理では、コンテンツを記録メディアに記録する操作が煩雑であり、コンテンツを記録メディアに記録するために手間と時間を要する。
【０００４】
本発明は、上記の課題を解決するためになされたもので、コンテンツを記録メディアに容易に記録可能なコンテンツ記録装置およびコンテンツ記録方法を提供することを目的とする。
【課題を解決するための手段】
【０００５】
上述した目的を達成するために、本発明に係るコンテンツ記録装置は、別のコンテンツ記録装置とネットワークを介して接続されたコンテンツ記録装置であって、外部より取り込んだコンテンツを記録するコンテンツ記録部と、記録メディアが挿脱可能に構成されており、挿入された記録メディアにコンテンツを書き込み可能なメディア書込部と、記録メディアに書き込む予定の複数のコンテンツを特定するコンテンツ特定情報を保有し、別のコンテンツ記録装置またはコンテンツ記録部にコンテンツ特定情報により特定されるコンテンツが記録されている場合に、当該コンテンツをメディア書込部に挿入された記録メディアに書き込むように制御する制御部と、を備えることを特徴とする。
【０００６】
また、本発明に係るコンテンツ記録方法は、ネットワークを介して互いに接続された複数のコンテンツ記録装置に記録されたコンテンツを記録メディアに記録するためのコンテンツ記録方法であって、記録メディアに書き込む予定の複数のコンテンツを特定するコンテンツ特定情報を生成する生成ステップと、複数のコンテンツ記録装置のいずれかにコンテンツ特定情報により特定されるコンテンツが記録されている場合に、当該コンテンツを記録メディアに書き込む書込ステップと、を含むコンテンツ記録方法である。
【発明の効果】
【０００７】
本発明によれば、コンテンツを記録メディアに容易に記録可能なコンテンツ記録装置およびコンテンツ記録方法を提供することができる。
【発明を実施するための最良の形態】
【０００８】
以下、添付図面を参照して、本発明の好適な実施形態について詳細に説明する。なお、説明において、同一要素又は同一機能を有する要素には、同一符号を用いることとし、重複する説明は省略する。
【０００９】
図１には、本発明の実施形態に係るコンテンツ記録再生システム１の概要が示されている。コンテンツ記録再生システム１は、家庭内に用いられるホームネットワークであり、Ｅｔｈｅｒｎｅｔ（登録商標）や無線ＬＡＮ（Local Area Network）などのネットワーク４０を介して複数のオーディオ・ビジュアル機器（以下、ＡＶ機器と呼ぶ）が互いに接続されて構成されている。
【００１０】
コンテンツ記録再生システム１は、当該システムの動作を制御するためのリモートコントローラであるコントロールポイント１０と、放送波に含まれる映像コンテンツを記録および再生するための複数の録画再生装置２０Ａ，２０Ｂ，２０Ｃと、録画再生装置２０Ａ〜２０Ｃに記録された映像コンテンツを表示するためのテレビジョン装置３０を含んで構成されている。
【００１１】
コントロールポイント１０は、ユーザにより操作可能に構成された操作入力部を有しており、ユーザの操作に応じた動作指令を生成する。コントロールポイント１０は、ＡＶ機器２０Ａ〜２０Ｃまたは３０に動作指令を無線送信する。コントロールポイント１０から無線送信された動作指令は、ＡＶ機器２０Ａ〜２０Ｃまたは３０のいずれかに設けられた無線受信部により受信されて、制御対象であるＡＶ機器２０Ａ〜２０Ｃまたは３０に転送される。
【００１２】
３台の録画再生装置２０Ａ〜２０Ｃは同様な構成を備えるものであるが、録画再生装置２０Ａを代表として録画再生装置２０Ａ〜２０Ｃの内部構成について説明する。録画再生装置２０Ａは、制御部２１と、チューナ２２と、ＨＤ（Hard Disc）記録部２３と、ＤＶＤ（Digital Versatile Disc）書込部２４と、ネットワーク通信部２５とを有している。なお、３台の録画再生装置２０Ａ〜２０Ｃの各々は、特許請求の範囲におけるコンテンツ記録装置に相当する。
【００１３】
制御部２１は、ＣＰＵ（Central Processing Unit）、ＲＡＭ（RandomAccess Memory）、ＲＯＭ（Read Only Memory）等を含んで構成され、録画再生装置２０Ａの動作を制御する。また、制御部２１は、他のＡＶ機器２０Ｂ，２０Ｃ、３０を制御するための動作指令を生成し、ネットワーク通信部２５に動作指令を送信させる処理を行う。
【００１４】
チューナ２２は、放送波を受信して、受信された放送波に含まれる映像コンテンツを取り出すための受信機である。チューナ２２には、地上アナログ放送用のチューナ、地上デジタル放送用のチューナ、ＢＳ（Broadcasting Satellite）放送用のチューナ、ＣＳ（CommunicationSatellite）放送用のチューナなどの様々なものがあるが、ここでは種類は問わない。なお、チューナ２２に代えて、ケーブル回線を介して映像コンテンツを取り込むものでもよい。
【００１５】
ＨＤ記録部２３は、チューナ２２により受信された映像コンテンツをハードディスクに記録するための記録部である。ＨＤ記録部２３に記録された映像コンテンツは、テレビジョン装置３０に表示させて視聴したり、ＤＶＤ書込部２４においてＤＶＤに書き込むことが可能である。なお、ＨＤ記録部２３は、特許請求の範囲におけるコンテンツ記録部に相当する。
【００１６】
ＤＶＤ書込部２４は、一般的にＤＶＤと呼ばれる光学メディアを挿脱可能に構成されており、光学メディアに映像コンテンツデータを書き込んで記録する機能と、光学メディアに記録された映像コンテンツデータを読み出してテレビジョン装置３０に表示可能とする機能と、を有する。特に、ＤＶＤ書込部２４は、ＨＤ記録部２３に記録された映像コンテンツを光学メディアに記録可能である。なお、ＤＶＤ書込部２４は、特許請求の範囲におけるメディア書込部に相当する。
【００１７】
ネットワーク通信部２５は、ネットワーク４０を介して別のＡＶ機器１０，２０Ｂ，２０Ｃ、３０との間で情報をやり取りするための処理部である。ネットワーク通信部２５は、録画再生装置２０Ａの制御部により生成された動作指令を別の録画再生装置２０Ｂ，２０Ｃおよびテレビジョン装置３０にネットワーク４０を介して送信するとともに、別の録画再生装置２０Ｂ，２０Ｃからネットワーク４０を介して送信されてきた動作指令を受信する。
【００１８】
なお、本実施形態では、３台の録画再生装置２０Ａ〜２０Ｃに同一種類のＤＶＤ書込部が搭載されているが、他の実施形態では、３台の録画再生装置２０Ａ〜２０Ｃの各々に異なる種類のＤＶＤ書込部が搭載されてもよい。例えば、３台の録画再生装置２０Ａ〜２０Ｃの各々には、ＨＤ‐ＤＶＤ（High Definition Digital Versatile Disc）、ＤＶＤ‐ＲＡＭ（Digital VersatileDisc Random Access Memory）、ＤＶＤ‐Ｒ（Digital Versatile Disc Recordable）、ＣＤ（CompactDisc）などの異なる種別の記録メディアを取り扱うためのＤＶＤ書込部が搭載されてもよい。また、３台の録画再生装置の各々は、ＤＶＤ書込部を搭載しないものがあってもよいし、１台で複数の異なる記録メディア種別を取り扱うためのＤＶＤ書込部が搭載されてもよい。
【００１９】
次に、上述したコンテンツ記録再生システム１におけるコンテンツ記録処理について説明する。図２には、映像コンテンツをハードディスクに記録する処理のフローチャートが示されている。なお、以下の説明では、録画再生装置２０Ｃによる処理について説明するが、録画再生装置２０Ａ，２０Ｂについても同様な処理を行われる。
【００２０】
ユーザは、テレビジョン装置３０に表示された録画予約用の画面を参照しつつ、コントロールポイント１０を操作して映像コンテンツの録画予約を行う。映像コンテンツの録画予約の際には、録画を行う日時、チャンネル、ビットレート、ハードディスクのアドレス等、予約録画を行うための基本情報に加え、最終的に光学メディアに記録するかを選択するための画面が表示される。ユーザが画面表示された「光学メディアに記録する」を選択するのに応じて、録画再生装置２０Ｃの制御部は、映像コンテンツの録画先情報として光学メディアを登録する（Ｓ２０１）。続いて、録画再生装置２０Ｃの制御部は、テレビジョン装置３０に光学メディア記録予約リストを表示するための処理を行う（Ｓ２０２）。図３には、画面表示される光学メディア記録予約リストの一例が示されている。
【００２１】
図３に示されるように、光学メディア記録予約リストは、光学メディアに書き込む予定の複数の映像コンテンツを特定するコンテンツ特定情報である。光学メディア記録予約リストには、コンテンツ録画先情報として、ＤＶＤ‐Ｒ、ＤＶＤ‐ＲＡＭ、ＨＤ‐ＤＶＤ‐Ｒなどの光学メディアの種別（Media Type）、光学メディアの番号（Disk Number）、光学メディアの名前（Disk Name）が登録されている。また、光学メディア記録予約リストには、録画予約されたまたは録画済みのコンテンツ情報として、タイトル番号（TitleNumber）、タイトル（Title）、データサイズ（Size）、記録アドレス（Title Address）、記録状態（Status）が登録されている。ここで、記録アドレスとは、録画再生装置２０Ａ〜２０ＣのいずれかのＨＤ記録部における記録アドレスを特定する情報である。また、記録状態とは、未録画または録画済みのいずれか一方を示す情報であり、未録画ではDisableとなり、録画済みではEnableとなる。
【００２２】
ユーザが光学メディアの種類、番号、名前、映像コンテンツのタイトル番号、タイトルなどを選択するのに応じて、録画再生装置２０Ｃの制御部は、これらの項目を登録する（Ｓ２０３）。続いて、録画再生装置２０Ｃの制御部は、これまでのユーザの選択に応じて、自ら記憶する光学メディア記録予約リストを更新する（Ｓ２０４）。
【００２３】
録画再生装置２０Ｃの制御部は、別の録画再生装置２０Ａ，２０Ｂに記憶された光学メディア記録予約リストを更新するために、光学メディア記録予約リストの更新を要求する動作指令を送信する（Ｓ２０５）。この動作指令には、ユーザにより選択された上記項目の情報が含まれている。別の録画再生装置２０Ａ，２０Ｂは、録画再生装置２０Ａからの更新要求に応じて、光学メディア記録予約リストを更新する（Ｓ２０６，Ｓ２０７）。これにより、全ての録画再生装置２０Ａ〜２０Ｃにおいて光学メディア記録予約リストが同一となる。
【００２４】
録画再生装置２０Ｃの制御部は、録画予約された映像コンテンツが放送される時刻になると、放送される映像コンテンツを受信して映像コンテンツをハードディスクに録画するための処理を行う（Ｓ２０８）。続いて、録画再生装置２０Ｃの制御部は、ハードディスクに録画された映像コンテンツに関して、光学メディア記録予約リストのデータサイズ、記録アドレスを更新するとともに、記録状態をDisableからEnableへ更新する（Ｓ２０９）。
【００２５】
録画再生装置２０Ｃの制御部は、別の録画再生装置２０Ａ，２０Ｂに記憶された光学メディア記録予約リストを更新するために、光学メディア記録予約リストの更新を要求する動作指令を送信する（Ｓ２１０）。この動作指令には、制御部により更新された上記項目の情報が含まれている。別の録画再生装置２０Ａ，２０Ｂは、録画再生装置２０Ａからの更新要求に応じて、光学メディア記録予約リストを更新する（Ｓ２１１，Ｓ２１２）。これにより、全ての録画再生装置２０Ａ〜２０Ｃにおいて光学メディア記録予約リストが同一となる。
【００２６】
なお、映像コンテンツの録画予約以外でも、既に録画されている映像コンテンツに対して新たにメディアタイプおよびメディア番号を選択することにより、光学メディア記録予約リストに新たな映像コンテンツの予約欄を追加することができる。また、ユーザの編集によりタイトル、記録アドレス、データサイズ、メディア番号などの各項目が変更されたり消去される場合もある、これらの場合にも、その都度、録画再生装置２０Ｃの制御部は、自ら保有している光学メディア記録予約リストを更新するとともに、光学メディア記録予約リストの更新要求を別の録画再生装置２０Ａ，２０Ｂに送信する。
【００２７】
なお、図４には、上述した処理において録画再生装置２０Ｃから別の録画再生装置２０Ａ，２０Ｂに送信される更新要求情報の一例が示されている。図４に示されるように、更新要求情報は、光学メディアの種別、光学メディアの番号、光学メディアの名前、タイトル番号、タイトル、データサイズ、記録アドレス、記録状態を含む情報である。
【００２８】
次に、上述したコンテンツ記録再生システム１におけるコンテンツ記録処理について説明する。図５には、映像コンテンツを光学メディアに記録する処理のフローチャートが示されている。なお、以下の説明では、録画再生装置２０Ｂによる処理について説明するが、録画再生装置２０Ａ，２０Ｃについても同様な処理を行われる。
【００２９】
ユーザが録画再生装置２０ＢのＤＶＤ書込部２４に光学メディアを挿入すると、録画再生装置２０Ｂの制御部は、その挿入された光学メディアの種別を認識する（Ｓ５０１）。そして、録画再生装置２０Ｂの制御部は、光学メディア記録予約リストにおいて、その光学メディアの種別に対応する部分のみを抽出してテレビジョン装置３０に表示するための処理を行う（Ｓ５０２）。このときの表示画面の一例が、図６に示されている。
【００３０】
ユーザがコントロールポイント１０を操作してメディア番号を選択すると、録画再生装置２０Ｂの制御部は、選択されたメディア番号に対応するタイトル番号およびタイトル情報を抽出してテレビジョン装置３０に表示するための処理を行う（Ｓ５０３）。このときの表示画面の一例が、図７に示されている。図７の表示画面において、記録状態がEnableの映像コンテンツは高輝度で表示され、記録状態がDisableの映像コンテンツは低輝度で表示されており、ユーザは光学メディアに書込み可能な映像コンテンツを識別することができる。
【００３１】
また、録画再生装置２０Ｂの制御部は、ユーザにより選択されたメディア番号に対応する映像コンテンツの総サイズを計算し、映像コンテンツの総サイズと光学メディアの空き容量とを比較する（Ｓ５０４）。ここで、録画再生装置２０Ｂの制御部は、光学メディアの空き容量が映像コンテンツの総サイズよりも大きい場合には、次のステップ５０５の処理に進む。一方、録画再生装置２０Ｂの制御部は、光学メディアの空き容量が映像コンテンツの総サイズよりも小さい場合には、映像コンテンツの光学メディアへの記録を中止するか、映像コンテンツを光学メディアに記録可能な範囲で記録するか、映像コンテンツの総サイズが光学メディアの空き容量におさまるようビットレートを下げるか、などをユーザに確認するための処理を行う。
【００３２】
ステップ５０５では、録画再生装置２０Ｂの制御部は、別の録画再生装置２０Ａのハードディスクに記録された映像コンテンツをダウンロードするために、別の録画再生装置２０Ａに映像コンテンツの送信を指令する動作指令を送信する。ここで、この動作指令には、録画再生装置２０Ａにおける映像コンテンツの記録アドレスの情報が含まれている。別の録画再生装置２０Ａの制御部は、この動作指令を受信すると、指定された記録アドレスから映像コンテンツを読み出して、映像コンテンツを録画再生装置２０Ｂに送信する（Ｓ５０６）。録画再生装置２０Ｂの制御部は、録画再生装置２０Ａからの映像コンテンツを受信して、光学メディアに映像コンテンツを書き込む。
【００３３】
ステップ５０７では、録画再生装置２０Ｂの制御部は、別の録画再生装置２０Ｃのハードディスクに記録された映像コンテンツをダウンロードするために、別の録画再生装置２０Ｃに映像コンテンツの送信を指令する動作指令を送信する。ここで、この動作指令には、録画再生装置２０Ｃにおける映像コンテンツの記録アドレスの情報が含まれている。別の録画再生装置２０Ｃの制御部は、この動作指令を受信すると、指定された記録アドレスから映像コンテンツを読み出して、映像コンテンツを録画再生装置２０Ｂに送信する（Ｓ５０８）。録画再生装置２０Ｂの制御部は、録画再生装置２０Ｃからの映像コンテンツを受信して、光学メディアに映像コンテンツを書き込む。
【００３４】
次に、録画再生装置２０Ｂの制御部は、録画再生装置２０Ａ，２０Ｃからダウンロードして光学メディアに記録した映像コンテンツに関する情報を光学メディア記録予約リストから消去するとともに、光学メディア記録予約リストにおいて被消去情報以降のディスク番号を繰り上げて、光学メディア記録予約リストを更新する（Ｓ５０９）。
【００３５】
録画再生装置２０Ｂの制御部は、別の録画再生装置２０Ａ，２０Ｃに記憶された光学メディア記録予約リストを更新するために、光学メディア記録予約リストの更新を要求する動作指令を送信する（Ｓ５１０）。この動作指令には、被消去情報を特定するための情報が含まれている。別の録画再生装置２０Ａ，２０Ｃは、録画再生装置２０Ｂからの制御信号に応じて、光学メディア記録予約リストを更新する（Ｓ５１１，Ｓ５１２）。これにより、全ての録画再生装置２０Ａ〜２０Ｃにおいて光学メディア記録予約リストが同一となる。
【００３６】
なお、光学メディア記録予約リストに登録された光学メディアの情報（光学メディアの種別および番号）は、光学メディアの各個体に固有の識別番号と対応付けられることが好ましい。光学メディアの情報を光学メディア固有の識別番号と対応付けておけば、本来１枚の光学メディアに記録したい映像コンテンツ（例えば、図７、Ｎｏ．３ドラマＡ第３話）が書き込まれないまま、ＤＶＤ書込部２４からその光学メディアを取り外した場合でも、後に継続してその映像コンテンツを書き込むことができる。すなわち、書き込まれなかった映像コンテンツがハードディスクに記録された後に、その光学メディアをＤＶＤ書込部２４に挿入すると、録画再生装置２０Ｂの制御部は、光学メディアから識別番号データを読み出して、挿入された光学メディアがその映像コンテンツを書き込むべき光学メディアであることを識別する。そして、録画再生装置２０Ｂの制御部は、前回書き込まれなかった映像コンテンツを、同一の光学メディアに継続して書き込むように制御する。
【００３７】
本実施形態によれば、録画再生装置２０Ａ〜２０Ｃの各々が光学メディア記録予約リストを保有することにより、光学メディアに書き込む予定の複数の映像コンテンツを管理することができる。この光学メディア記録予約リストを利用すれば、ユーザは光学メディア記録予約リストを編集するのみで、ネットワーク接続された複数の録画再生装置２０Ａ〜２０Ｃから所望の映像コンテンツをダウンロードして、光学メディアに書き込むことができるため、映像コンテンツを記録メディアに容易に記録することができる。また、この光学メディア記録予約リストの編集は短時間で済むため、予約作業中にユーザが録画を希望する映像コンテンツを忘れてしまうことが防止され、映像コンテンツを漏れなく光学メディアに記録することができる。なお、これらの効果は、光学メディアに書き込むべき映像コンテンツの数量が多い状況において特に顕著である。
【００３８】
なお、本実施形態では、コンテンツ記録装置（録画再生装置）に映像コンテンツを記録したが、他の実施形態では、コンテンツ記録装置に他の種類のコンテンツを記録してもよい。
【図面の簡単な説明】
【００３９】
【図１】本発明の実施形態に係るコンテンツ記録再生システムを示す概略図である。
【図２】映像コンテンツをハードディスクに記録する処理のフローチャートである。
【図３】光学メディア記録予約リストの表示画面の一例を示す図である。
【図４】更新要求情報のデータ構造の一例を示す図である。
【図５】映像コンテンツを光学メディアに記録する処理のフローチャートである。
【図６】映像コンテンツ書込み時の表示画面の一例を示す第１図である。
【図７】映像コンテンツ書込み時の表示画面の一例を示す第２図である。
【符号の説明】
【００４０】
１…コンテンツ記録再生システム、１０…コントロールポイント、２０Ａ，２０Ｂ，２０Ｃ…録画再生装置、２１…制御部、２２…チューナ、２３…コンテンツ記録部、２４…メディア書込部、２５…ネットワーク通信部、３０…テレビジョン装置、４０…ネットワーク。
【図１】
2008140449.tif 000003
【図２】
2008140449.tif 000004
【図３】
2008140449.tif 000005
【図４】
2008140449.tif 000006
【図５】
2008140449.tif 000007
【図６】
2008140449.tif 000008
【図７】
2008140449.tif 000009